(57)【特許請求の範囲】
【請求項１】
人体を支持する支持部と、支持部を左右方向に移動可能に取り付けるレール部材を有する横枠部と、横枠部に連結する縦枠部とを有する人体支持装置であって、縦枠部の上部に連続する複数の凹部を設け、下部には高さ調整部を設置し、既設水回り設備の天板下面と扉部上面との間隙に、垂直面にレール部材を取り付けて水平面下面に凸部を設けたＬ型の横枠部を挿入し、横枠部の凸部を縦枠部の凹部に嵌め込み床面〜天板下面間を突っ張る状態に高さ調整をすることにより取り付けることを特徴とする人体支持装置
【請求項２】
Ｌ型の横枠部の水平面に約７５mm間隔に凸部を設けることで既設水回り設備の扉又は引き出しの幅に対応できることにより取り付け可能にすることを特徴とする請求項１に記載の人体支持装置。
【請求項３】
支持部は上下方向に移動可能であることを特徴とする請求項１又は２のいずれかに記載の人体支持装置。
【請求項４】
既設水回り設備の扉部又は引き出し部と隣り合う他の扉部又は引き出し部との間隙に挿入される縦枠部に、既設水回り設備内部の縦板の前面と扉部又は引き出し部の裏面との間隙に収まると共に前記裏面に掛る止めピン部を設けたことを特徴とする請求項１〜３のいずれかに記載の人体支持装置。
【請求項５】
既設水回り設備の扉部又は引き出し部と隣り合う他の扉部又は引き出し部との間隙に挿入される長辺部と、既設水回り設備内部の縦板の前面と扉部又は引き出し部の裏面との間隙に収まる前記長辺部よりも短い短辺部とからなるＬ型の縦枠部に、既設水回り設備内部の縦板の前面と扉部又は引き出し部の裏面との間隙に収まると共に前記裏面に掛る止めピン部を設けたことを特徴とする請求項１〜３のいずれかに記載の人体支持装置。
【請求項６】
既設水回り設備の扉部又は引き出し部と隣り合う他の扉部又は引き出し部との間隙に挿入される縦枠部は、既設水回り設備内部の縦板の前面と扉部又は引き出し部の裏面との間隙に収まる短辺部と、短辺部よりも長い長辺部とを有するＬ型の縦枠部であることを特徴とする請求項１〜３のいずれかに記載の人体支持装置。
【請求項７】
縦枠部の片面に対向する外枠部を設け、縦枠部の片面と対向する外枠部の内面に粗め加工したこと特徴とする請求項１〜６のいずれかに記載の人体支持装置。
【請求項８】
既設水回り設備内部の縦板前面に固定され、縦板と引き出し部前板の裏面との間隙に収まると共に縦枠部を挿入可能なＣ型部材を設け、Ｃ型部材の下端部平板の片面に粗め加工を施したことを特徴とする請求項１〜７のいずれかに記載の人体支持装置。
【発明の詳細な説明】
【技術分野】
【０００１】
本発明は流し台又は洗面化粧台などの水回り設備に使用する人体支持装置に関するものである。
【背景技術】
【０００２】
従来、流し台での作業時に使用する人体の支持装置として、特許文献１のようなものが存在する。
【特許文献１】特開２００３−０３８２７０号公報
【発明の開示】
【発明が解決しようとする課題】
【０００３】
しかし、かかる人体支持機能を有する水回り設備を採用しょうとすれば、通常、既設の水回り設備自体（人体保持機能を有さない水回り設備）を取り外し、新規な水回り設備と取り替える必要があるか、あるいは、現実的ではない大幅な改造を要する。
【０００４】
そこで、本発明は、既設水回り設備を取り替える必要がなく、既設水回り設備を利用したまま、しかも、簡単な構造で容易に取り付けることができる、人体支持装置を提供することを目的とする。
【課題を解決するための手段】
【０００５】
本発明は、人体を支持する支持部と、支持部を左右方向に移動可能に取り付けるレール部材を有する横枠部と、横枠部に連結する縦枠部とを有する人体支持装置であって、縦枠部の上部に連続する複数の凹部を設け、下部には高さ調整部を設置し、既設水回り設備の天板下面と扉部上面との間隙に、垂直面にレール部材を取り付けて水平面下面に凸部を設けたＬ型の横枠部を挿入し、横枠部の凸部を縦枠部の凹部に嵌め込み床面〜天板下面間を突っ張る状態に高さ調整をすることにより取り付けることを特徴とする人体支持装置である（請求項１）。
【０００６】
本発明は、Ｌ型の横枠部の水平面に約７５mm間隔に凸部を設けることで既設水回り設備の扉又は引き出しの幅に対応できることにより取り付け可能にすることを特徴とする請求項１に記載の人体支持装置である（請求項２）。
【０００７】
本発明は、支持部は上下方向に移動可能であることを特徴とする請求項１又は２のいずれかに記載の人体支持装置である（請求項３）。
【０００８】
本発明は、既設水回り設備の扉部又は引き出し部と隣り合う他の扉部又は引き出し部との間隙に挿入される縦枠部に、既設水回り設備内部の縦板の前面と扉部又は引き出し部の裏面との間隙に収まると共に前記裏面に掛る止めピン部を設けたことを特徴とする請求項１〜３のいずれかに記載の人体支持装置である（請求項４）。
【０００９】
本発明は、既設水回り設備の扉部又は引き出し部と隣り合う他の扉部又は引き出し部との間隙に挿入される長辺部と、既設水回り設備内部の縦板の前面と扉部又は引き出し部の裏面との間隙に収まる前記長辺部よりも短い短辺部とからなるＬ型の縦枠部に、既設水回り設備内部の縦板の前面と扉部又は引き出し部の裏面との間隙に収まると共に前記裏面に掛る止めピン部を設けたことを特徴とする請求項１〜３のいずれかに記載の人体支持装置である（請求項５）。
【００１０】
本発明は、既設水回り設備の扉部又は引き出し部と隣り合う他の扉部又は引き出し部との間隙に挿入される縦枠部は、既設水回り設備内部の縦板の前面と扉部又は引き出し部の裏面との間隙に収まる短辺部と、短辺部よりも長い長辺部とを有するＬ型の縦枠部であることを特徴とする請求項１〜３のいずれかに記載の人体支持装置である（請求項６）。
【００１１】
本発明は、縦枠部の片面に対向する外枠部を設け、縦枠部の片面と対向する外枠部の内面に粗め加工したこと特徴とする請求項１〜６のいずれかに記載の人体支持装置である（請求項７）。
【００１２】
本発明は、既設水回り設備内部の縦板前面に固定され、縦板と引き出し部前板の裏面との間隙に収まると共に縦枠部を挿入可能なＣ型部材を設け、Ｃ型部材の下端部平板の片面に粗め加工を施したことを特徴とする請求項１〜７のいずれかに記載の人体支持装置である（請求項８）
【００１３】
本発明は、人体を支持する支持部と、支持部を設けた横枠部と、横枠部に連結する縦枠部を有する人体支持装置であって、既設水回り設備内部の縦板の前面と引き出し部前板の裏面との間隙に収まる寸法で縦板前面に固定するＣ型部材端部平板の片面に粗め加工をした部材に、既設水回り設備の引き出し部と隣り合う幕板部との間隙を利用して、上部に連続する複数の凹部を設けたＴ型短辺部の外面下部に粗め加工をした縦枠部を挿入する、又、天板下面と幕板上面との間隙に垂直面にレール部材を取り付けて水平面下面に凸部を設けたＬ型の横枠部の垂直面を天板前面に接するまで挿入し、横枠部の凸部を縦枠部の凹部に嵌め込み天板下面を持ち上げる状態に高さを調整して粗め加工をした二つの部材が密着することでスベリが解消され一体となり持ち上げる状態を保ち取り付けることを可能とすることを特徴とする人体支持装置である。
【００１４】
本発明の人体支持装置は、既設水回り設備（流し台や洗面化粧台等）に取り付ける、既設水回り装置とは別体の人体支持装置であり、既設水回り装置の天板下面と扉部上面との間に生じる間隙を利用したものであり、横枠部を天板下面と扉部上面との間隙に挿入することによって、人体支持装置を既設水回り設備に取り付けることを特徴とする。
【００１５】
本発明の人体支持装置は、既設水回り設備（流し台や洗面化粧台等）に取り付ける、既設水回り装置とは別体の人体支持装置であり、Ｌ型の横枠部の水平面に約７５ｍｍ間隔に穴部を設けることで既設水回り設備の扉、引き出しの幅に対応できることにより取り付けを可能にすることによって、人体支持装置を既設水回り設備に取り付けることを特徴とする。
【００１６】
本発明の人体支持装置は、既設水回り設備（流し台や洗面化粧台等）に取り付ける、既設水回り装置とは別体の人体支持装置であり、既設水回り装置の扉部等と他の扉部等との間に生じる間隙を利用したものであり、縦枠部を扉部等と他の扉部等との間隙に挿入することによって、人体支持装置を既設水回り設備に取り付けることを特徴とする。
【００１７】
具体的には、扉を半開きの状態にして縦枠部を間隙に挿入し縦枠部の短辺部が扉部（吊り元側）の裏面に掛かることで縦枠部の手前側への転倒は阻止され、人体保持装置は既設水回り設備に保持される。
【００１８】
また、横枠部の穴部に縦枠部の凸部を差し込むことで縦枠部と一体となり横枠部は左右移動も手前側に転倒脱落も阻止され、人体保持装置は既設水回り設備に保持される。
【００１９】
本発明の人体支持装置は、既設水回り設備（流し台や洗面化粧台等）に取り付ける、既設水回り装置とは別体の人体支持装置であり、縦枠部の上部に連続する複数の凹部を設け、下部には高さ調整部を設置し、既設水回り設備の天板下面と扉部上面との間隙に、垂直面にレール部材を取り付けて水平面下面に凸部を設けたＬ型の横枠部の垂直面を天板前面に接するまで挿入し、横枠部の凸部を縦枠部の凹部に嵌め込み床面〜天板下面間を突っ張る状態に高さを調整することにより取り付けることを可能にすることによって、人体支持装置を既設水回り設備に取り付けることを特徴とする。
【００２０】
本発明の人体支持装置は、既設水回り設備（流し台や洗面化粧台等）に取り付ける、既設水回り装置とは別体の人体支持装置であり、Ｌ型の横枠部の水平面下面に約７５ｍｍ間隔に凸部を設けることで既設水回り設備の扉、引き出しの幅に対応できることにより取り付けを可能にすることによって、人体支持装置を既設水回り設備に取り付けることを特徴とする。
【００２１】
本発明の人体支持装置は、既設水回り設備（流し台や洗面化粧台等）に取り付ける、既設水回り装置とは別体の人体支持装置であり、既設水回り装置の扉部等と他の扉部等との間に生じる間隙を利用したものであり、縦枠部を扉部等と他の扉部等との間隙に挿入することによって、人体支持装置を既設水回り設備に取り付けることを特徴とする。
【００２２】
具体的には、複数のスリットを配したＩ型の縦枠部を間隙に挿入後扉を全開状態にして縦枠部の複数のスリットに止めピンを差し込み、止めピン部が扉部（吊り元側）の裏面に掛かることでＩ型の縦枠部の手前側への転倒は阻止され、人体保持装置は既設水回り設備に保持される。
【００２３】
また、横枠部の凸部に縦枠部の凹部を嵌め込み、床面〜天板下面間を突っ張る状態に高さを調整することにより縦枠部と一体となり横枠部は左右移動も手前側に転倒脱落も阻止され、人体保持装置は既設水回り設備に保持される
【００２４】
本発明の人体支持装置は、既設水回り設備（流し台や洗面化粧台等）に取り付ける、既設水回り装置とは別体の人体支持装置であり、既設水回り装置の扉部等と他の扉部等との間に生じる間隙を利用したものであり、縦枠部を扉部等と他の扉部等との間隙に挿入することによって、人体支持装置を既設水回り設備に取り付けることを特徴とする。
【００２５】
具体的には、扉を半開きの状態にしてＬ型の縦枠部を間隙に挿入し縦枠部の短辺部が扉部（吊り元側）の裏面に掛かることで縦枠部の手前側への転倒は阻止され、また、扉を全開きの状態にしてＬ型の縦枠長辺部に設けた複数のスリットに止めピンを差し込み、止めピン部が扉部（吊り元側）の裏面に掛かることでＬ型の縦枠部の手前側への転倒は阻止され、人体保持装置は既設水回り設備に保持される。
【００２６】
また、横枠部の凸部を縦枠部の凹部に嵌め込むことで縦枠部と一体となり横枠部は左右移動も手前側に転倒脱落も阻止され、人体保持装置は既設水回り設備に保持される。
【００２７】
本発明の人体支持装置は、既設水回り設備（流し台や洗面化粧台等）に取り付ける、既設水回り装置とは別体の人体支持装置であり、既設水回り装置の扉部等と他の扉部等との間に生じる間隙を利用したものであり、縦枠部を扉部等と他の扉部等との間隙に挿入することによって、人体支持装置を既設水回り設備に取り付けることを特徴とする。
【００２８】
具体的には、扉を半開きの状態にして縦枠部を間隙に挿入し縦枠部の短辺部が扉部（吊り元側）の裏面に掛かることで縦枠部の手前側への転倒は阻止され、人体保持装置は既設水回り設備に保持される。
【００２９】
また、横枠部の凸部を縦枠部の凹部に嵌め込むことで縦枠部と一体となり横枠部は左右移動も手前側に転倒脱落も阻止され、人体保持装置は既設水回り設備に保持される。
【００３０】
本発明の人体支持装置は、既設水回り設備（流し台や洗面化粧台等）に取り付ける、既設水回り装置とは別体の人体支持装置であり、既設水回り装置の扉部等と他の扉部等、また、天板下面と扉部上面との間に生じる間隙を利用したものであり、水平面下面に凸部を設けたＬ型の横枠部の垂直面を天板前面に接するまで挿入し、横枠部の凸部を縦枠部の凹部に嵌め込み床面〜天板下面間を突っ張る状態に高さを調整して縦枠部の片面（外枠部に接する面）と外枠部の内面に粗め加工をした二つの部材が密着することでスベリが解消され一体となり突っ張る状態を保つことを可能にすることによって、人体支持装置を既設水回り設備に取り付けることを特徴とする。
【００３１】
本発明の人体支持装置は、既設水回り設備（流し台や洗面化粧台等）に取り付ける、既設水回り装置とは別体の人体支持装置であり、既設水回り設備内部の縦板の前面と引き出し部前板の裏面との間隙に収まる寸法で縦板前面に固定するＣ型部材端部平板の片面に粗め加工をした部材に、既設水回り設備の引き出し部と隣り合う幕板部との間隙を利用して、上部に連続する複数の凹部を設けたＴ型短辺部の外面下部に粗め加工をした縦枠部を挿入する。
【００３２】
また、天板下面と幕板上面との間隙に垂直面にレール部材を取り付けて水平面下面に凸部を設けたＬ型の横枠部の垂直面を天板前面に接するまで挿入し、横枠部の凸部を縦枠部の凹部に嵌め込み天板下面を持ち上げる状態に高さを調整して粗め加工をした二つの部材が密着することでスベリが解消され一体となり持ち上げる状態を保ち取り付けることを可能とすることを、人体支持装置を既設水回り設備に取り付けることを特徴とする。
【発明の効果】
【００３３】
本発明は、既設水回り設備（流し台や洗面化粧台）自体を取り外して取り替える必要がなく、既設水回り設備をそのまま利用して、（人体支持機能がない）既設水回り設備に対して人体保持機能を付加することができる、既設水回り設備の扉、引き出しの幅に対応できることにより取り付けを可能にする、しかも、天板下面と扉部上面又扉部等と他の扉部等との間隙に挿入することによりその状態を保持するので、既設の水回り設備に特別な加工を施す必要がなく、取り付けが容易であるという特有の効果を奏する。
【発明を実施するための最良の形態】
【００３４】
食材や食器の洗浄又は洗顔、洗髪その他の作業を行う際に、人体支持装置を用いると、使用者の人体が従来より高い位置で支えられ、支持部に荷重を分散させることによって足腰にかかる負担を軽減でき、作業が快適となる。
【００３５】
既に使用中の流し台、洗面化粧台にパーツとして取り付けることができるので、新規の流し台、洗面化粧台に取り替える必要がなく便利であり、広汎な使用が期待される。また高齢化社会の今日、老若男女を問わず多数の人が簡単に使用することができ、人体への負担の軽減に役立つ。
【実施例】
【００３６】
以下、本発明の実施例を示し、図面に即して詳しく説明する。
【００３７】
図１は、本発明の人体支持装置を取り付けた既設流し台全体の斜視図である。
【００３８】
左右対称の縦枠部１０と横枠部６、上下・左右方向に移動が可能である支持部２２で構成されている。
【００３９】
図２は、本発明の横枠部の斜視図である。Ｌ型の横枠部６の垂直面にレール部材８を取り付ける、レール部材８に移動部材１７を差し込むことで、移動部材１７は左右方向に移動可能となる。移動部材１７には２枚の持ち出し腕板１８を取り付け、腕板１８の先端部分には昇降用掛板１９の入るスリットを設けている、昇降用掛板１９端部には掛部２０を設け、対端部には抜け防止ピン２１の差込穴を設けている。
【００４０】
図３は、本発明の横枠部の斜視図である。Ｌ型の横枠部６の水平面には約７５ｍｍ間隔で穴部（短辺部は約３ｍｍ程度）７を設けることで既設水回り設備の扉２、引き出し３の幅に対応可能である。（参考、扉・引き出しの幅は最小１５０ｍｍより１５０ｍｍ単位で最大９００ｍｍである、各流しメーカー共通）この穴部（短辺部は約３ｍｍ程度）７に縦枠部１０の凸部１１を差し込むことで横枠部６と縦枠部１０が一体となり横枠部６の左右移動も手前側への転倒脱落も阻止される。
【００４１】
図４−１、図４−２は、本発明の縦枠部の斜視図である。縦枠部１０は短辺部１３、長辺部１２からなるＬ型で上部ハンチ部分に凸部１１を設け、下部には高さ調整のビス穴を設けている、高さ調整は図１のヶ込み部４の範囲内でスリットを有する高さ調整部１４を蝶ナット１５で固定した後、足元保護カバー１６を取り付ける。
【００４２】
図５−１、図５−２は、本発明の縦枠部Ａ〜Ｂ断面の移動状態図である。既設水回り設備の扉を半開き状態にして扉部２と他の扉部との間に生じる間隙２７に縦枠部１０の短辺部１３から挿入する。
【００４３】
図５−２は、既設水回り設備内部の縦板５の前面に縦枠部１０の短辺部１３が接触後半開きの扉を閉めると、既設水回り設備内部の縦板５の前面と扉部裏面との間に生じた間隙２８に縦枠部１０の短辺部１３が挿入された状態になり、扉部２（吊り元側）の裏面に縦枠部１０の短辺部１３が掛かることで手前側への転倒は阻止され、人体支持装置は既設水回り設備に保持される。
【００４４】
図６は、本発明の縦枠部・横枠部・レ―ル・移動部・人体支持部の縦断面図である。縦枠部１０ハンチ上部の凸部１１を横枠部６の水平面に設けた穴部（短辺部は約３ｍｍ程度）７に差し込むことで一体となり横枠部６の左右移動も手前側への転倒脱落も阻止される。
【００４５】
Ｌ型の横枠部６の垂直面にレール部材８を取り付ける、レール部材８に移動部材１７を差し込むことで左右方向に移動が可能となる。移動部材１７には２枚の持ち出し腕板１８を取り付け、腕板１８の先端部分には昇降用掛板１９の入るスリットを設けている、昇降用掛板１９端部には掛部２０を設け、対端部には抜け防止ピン２１の差込穴を設けている。
【００４６】
支持部２２は２枚の支持部主材２３と、もたれ板２５で構成されている。支持部主材２３を図示形に切り抜き６ヶ処の掛かり部２４を設けている、移動部材１７に取り付けた持ち出し腕板１８と支持部２２を昇降用掛板１９で連結さしている。昇降用掛板１９に支持主材２３の掛かり部２４を掛けることで支持部２２の上下方向の移動が可能となる。
【００４７】
図７−１、図７−２は、横枠部の平面図、部分拡大図と流し台の正面図である。Ｌ型の横枠部６の水平面に約７５ｍｍ間隙Ｂで設けた穴部（短辺部は約３ｍｍ程度）７に凸部１１の厚み１ｍｍを差し込んだ時点で約２ｍｍ×２ヶ処で約４ｍｍのクリアランスが生じる、水槽前の間隙２７の２ヶ処に縦枠部１０を挿入した場合、
（例１）      扉幅３００ｍｍ＋３００ｍｍ２枚の場合のＡは６００ｍｍ（間隙を含む）
であり、約７５ｍｍ間隙Ｂ×８ヶ処でＡは６００ｍｍとなる。
（例２）  扉幅３００ｍｍ＋４５０ｍｍ２枚の場合のＡは７５０ｍｍ（間隙を含む）
であり、約７５ｍｍ間隙Ｂ×１０ヶ処でＡは７５０ｍｍとなる。
（例３）  扉幅４５０ｍｍ＋４５０ｍｍ２枚の場合のＡは９００ｍｍ（間隙を含む）
であり、約７５ｍｍ間隙Ｂ×１２ヶ処でＡは９００ｍｍとなる。
【００４８】
なお、ステンレス製の横枠部６縦枠部１０と高さ調整部１４の厚みは約１〜２ｍｍ程度、図６の天板下面〜扉上面の間隙は約３〜５ｍｍ程度、図５−１、図５−２の扉、引き出し〜他の扉、引き出しの間隙２７は約３〜５ｍｍ程度である。
【００４９】
取り付け順序の説明。
（１）図５−１、２を参照、縦枠部１０を挿入。
（２）図１を参照、横枠部６を天板下面と扉上面の間隙２６に挿入。
（３）図３を参照、横枠部６の穴部（短辺部は約３ｍｍ程度）７に縦枠部１０の凸部１１を差し込む。
（４）図４−１、図４−２、図６を参照、天板下面に横枠部６が接面するまで縦枠部１０を上方向に、床面〜天板下面間を突っ張る状態に高さを調整して蝶ナット１５で固定する。
（５）図１を参照、移動部材１７を設置した支持部２２を横枠部のレール部材８に挿入する。
（６）図２、図４−２を参照、横枠端部保護カバー９と足元保護カバー１６を取り付けて完了。
【００５０】
図８は、本発明の横枠部の斜視図・部分拡大図である。Ｌ型の横枠部３１の水平面下面には約７５ｍｍ間隔で凸部（Ｃは約１０ｍｍ程度）３２を設けることで既設水回り設備の扉２、引き出し３の幅に対応可能である。（参考、扉・引き出しの幅は最小１５０ｍｍより１５０ｍｍ単位で最大９００ｍｍである、各流しメーカー共通）
【００５１】
図９は、本発明の縦枠部の斜視図である。Ｉ型の縦枠部３３の上部に連続する複数の凹部３４上げ下げ持部３９を設置し、縦枠部３３に複数のスリット（止めピンの厚み）３５を設けて止めピン（多種の形状有す）３６を切り込み部（縦枠の厚み）４５まで横から差し込み下方に下ろす事でＩ型の縦枠部３３の一部に十型が形成される。縦枠下部には高さ調整部を設置している、締め付け握り４３＋バネ４２＋押えプレート４０＋ボルト４１φ巾のスリット３５＋上げ下げ持部３９を設けた縦枠部の片面にはスベリ止め粗め４４を加工＋内面にスベリ止め粗め４４を加工し底板の付いた外枠部４６に設置したボルト４１からなる高さ調整部である。
【００５２】
また、外枠部４６に固定されたボルト４１と連結した締め付け握り４３を軽く締めることでバネ４２の半力で押えプレート４０縦枠部３３外枠部４６が重なり合い底板４６を押えて上げ下げ持部３９を上方向に上げることで横枠部の凸部３２に凹部３４を嵌め込み床面〜天板下面間を突っ張る状態にまで上げた後、締め付け握り４３を強く締めることで縦枠片面、外枠部内面に粗め加工４４をした二つの部材が密着することでスベリが解消され一体となり突っ張る状態を保ち横枠部３１の左右移動も手前側への転倒脱落も阻止され、人体支持装置は既設水回り設備に保持される。
【００５３】
図１０−１は、本発明の縦枠部Ａ〜Ｂ断面の移動状態図である。既設水回り設備の扉部２と他の扉部との間に生じる間隙２７に複数のスリット３５を配したＩ型の縦枠部３３を挿入後、扉２を全開き状態にして縦板前面〜扉、引き出しの裏面の間隙２８に止めピン３６を横から差し込む。
【００５４】
図１０−２は、本発明の縦枠部Ａ〜Ｂ断面の移動状態図である。既設水回り設備の扉部２と他の扉部との間に生じる間隙２７に複数のスリット３５を配したＩ型の縦枠部３３を挿入後、扉２を全開き状態にして縦板前面〜扉、引き出しの裏面の間隙２８に止めピン３６を横から差し込み後全開き状態の扉２を閉めると、既設水回り設備内部の縦板５の前面と扉部裏面との間に生じた間隙２８に止めピン３６が挿入された状態になり、Ｉ型の縦枠部３３が十型に変形して間隙２７の両側の扉部２（吊り元側）の裏面に掛かることでより強固になり手前側への転倒は阻止され、人体支持装置は既設水回り設備に保持される。
【００５５】
図１１−１、図１１−２は、本発明の横枠部・レ―ル・移動部の縦断面図である。既設水回り設備内部の縦板５前面〜天板前面までの出の寸法Ｄは約３０〜４０ｍｍ程度、又、天板厚みＥは約３０〜４０ｍｍ程度である。既設水回り設備の天板下面と扉部上面との間隙２６に、垂直面にレール部材８を取り付けて水平面下面に凸部３２を設けたＬ型の横枠部３１の垂直面を天板前面に接するまで挿入し、横枠部の凸部３２と縦枠部の上部に連続する複数の凹部３４を設けることで（既設水回り設備内部の縦板５前面〜天板前面までの出の寸法Ｄは約３０〜４０ｍｍ程度）出の寸法差に対して対応可能となり、横枠部の凸部３２に凹部３４を嵌め込み床面〜天板下面間を突っ張る状態に高さを調整（図９参照）することで一体となり横枠部３１の左右移動も手前側への転倒脱落も阻止され、人体支持装置は既設水回り設備に保持される。
【００５６】
図１２は、本発明の縦枠部の斜視図である。Ｌ型の縦枠部４８の上部に連続する複数の凹部３４上げ下げ持部３９を設け、縦枠下部には高さ調整部を設置している（図９参照）、Ｌ型の縦枠部４８の長辺部５０に複数のスリット（止めピンの厚み）３５を設けて止めピン（多種の形状有す）３６を切り込み部（縦枠の厚み）４５まで横から差し込み下方に下ろす事でＬ型の縦枠部４８短辺部４９に重なりＴ型に変形して間隙２７の両側の扉２（吊り元側）の裏面に掛かることでより強固になり手前側への転倒は阻止され、人体支持装置は既設水回り設備に保持される。
【００５７】
図１３−１は、本発明の縦枠部Ａ〜Ｂ断面の移動状態図である。既設水回り設備の扉部２と他の扉部との間に生じる間隙２７に扉２を半開き状態にして、長辺部５０に複数のスリット（止めピンの厚み）３５を設けたＬ型の縦枠部４８を挿入後扉２を全開きにして止めピン（多種の形状有す）３６を切り込み部（縦枠の厚み）４５まで横から差し込み下方に下ろす事でＬ型の縦枠部４８短辺部４９に重なりＴ型が形成される。
【００５８】
図１３−２は、本発明の縦枠部Ａ〜Ｂ断面の移動状態図である。また、全開きの扉２を閉めると、既設水回り設備内部の縦板５の前面と扉部裏面との間に生じた間隙２８に止めピン３６が挿入された状態になり、Ｌ型の縦枠部４８がＴ型に変形して間隙２７の両側の扉２（吊り元側）の裏面に掛かることでより強固になり手前側への転倒は阻止され、人体支持装置は既設水回り設備に保持される。
【００５９】
図１４は、本発明の人体支持装置を取り付けた引き出しタイプの既設流し台の斜視図である。
【００６０】
２１世紀に入り、既設水回り設備は引き出しタイプが主流となる、左右対称の縦枠部５１Ｃ型部材５７と横枠部３１、上下・左右方向に移動が可能である支持部２２で構成されている。
【００６１】
図１５は、Ｔ型縦枠部Ａ〜Ｂ断面の移動状態図である。既設水回り設備内部の縦板５の前面と引き出し部前板５３の裏面との間隙２８に収まる寸法で縦板前面にＣ型部材５７を皿ビス５５で取り付けてＴ型縦枠部５１を挿入する。
【００６２】
図１６−１、図１６−２は、Ｃ型部材・Ｔ型縦枠部の斜視図である。Ｃ型部材５７端部にスリット５２を設けた平板の片面に粗め加工４４をした部材に、既設水回り設備の引き出し部前板５３と隣り合う幕板部５４との間隙２７を利用して、上部に連続する複数の凹部３４を設けたＴ型短辺部４９の外面下部に粗め加工４４をしたＴ型縦枠部５１を挿入する、また、天板下面と幕板５４上面との間隙２６に垂直面にレール部材８を取り付けて水平面下面に凸部３２を設けたＬ型の横枠部３１の垂直面を天板前面に接するまで挿入して（図１１−１、図１１−２参照）横枠部の凸部３２を縦枠部の凹部３４に嵌め込み天板下面を持ち上げる状態にＴ型縦枠部５１上部の上げ下げ持部３９を持ち上げ高さを調整してビス５６締めをする、粗め加工４４をした二つの部材が密着することでスベリが解消され一体となり持ち上げる状態を保ち横枠部３１の左右移動も手前側への転倒脱落も阻止され、人体支持装置は既設水回り設備に保持される。
【００６３】
図１６−２は、Ｔ型縦枠部の斜視図である。
（例１）一枚の平板を折り曲げてＴ型縦枠部５１を形成。
【図面の簡単な説明】
【００６４】
【図１】本発明の実施例、人体支持装置を取り付けた流し台全体の斜視図である。
【図２】本発明の横枠部の斜視図である。
【図３】本発明の横枠部の斜視図である。
【図４−１】本発明の縦枠部の斜視図である。
【図４−２】本発明の縦枠部の斜視図である。
【図５−１】本発明の縦枠部Ａ〜Ｂ断面の移動状態図である。
【図５−２】本発明の縦枠部Ａ〜Ｂ断面の移動状態図である。
【図６】本発明の横枠部・レ―ル・移動部・人体支持部の縦断面図である。
【図７−１】本発明の横枠部の平面図・部分拡大図である。
【図７−２】本発明の流し台の正面図である。
【図８】本発明の横枠部の斜視図・部分拡大図である。
【図９】本発明の縦枠部の斜視図である。
【図１０−１】本発明の縦枠部Ａ〜Ｂ断面の移動状態図である。
【図１０−２】本発明の縦枠部Ａ〜Ｂ断面の移動状態図である。
【図１１−１】本発明の横枠部・レ―ル・移動部の縦断面図である。
【図１１−２】本発明の横枠部・レ―ル・移動部の縦断面図である。
【図１２】本発明の縦枠部の斜視図である。
【図１３−１】本発明の縦枠部Ａ〜Ｂ断面の移動状態図である。
【図１３−２】本発明の縦枠部Ａ〜Ｂ断面の移動状態図である。
【図１４】本発明の人体支持装置を取り付けた引き出しタイプの既設流し台の斜視図である。
【図１５】本発明のＴ型縦枠部Ａ〜Ｂ断面の移動状態図である。
【図１６−１】本発明のＣ型部材・Ｔ型縦枠部の斜視図である。
【図１６−２】本発明のＴ型縦枠部の斜視図である。
【符号の説明】
【００６５】
１  天板
２  扉
３  引き出し
４  ヶ込み部
５  既設水回り設備内部の縦板
６  横枠部
７  穴部（短辺部は約３ｍｍ程度）
８  レール部材
９  横枠端部保護カバー
１０  縦枠部
１１  凸部
１２  長辺部
１３  短辺部
１４  高さ調整部
１５  蝶ナット
１６  足元保護カバー
１７  移動部材
１８  持ち出し腕板
１９  昇降用掛板
２０  掛部
２１  抜け防止ピン
２２  支持部
２３  支持部主材
２４  掛かり部
２５  もたれ板
２６  天板下面〜扉・幕板上面の間隙
２７  扉、引き出し〜他の扉、引き出しの間隙
２８  縦板前面〜扉、引き出しの裏面の間隙
２９  パッキン
３０  硬質パッキン
３１  横枠部
３２  凸部
３３  縦枠部Ｉ型
３４  縦枠上部連続する複数の凹部
３５  縦枠部スリット部
３６  止めピン部
３７  Ｃは約１０ｍｍ程度
３８  既設水回り設備内部の縦板前面〜天板前面までの寸法Ｄは約３０〜４０ｍｍ程度
３９  上げ下げ持部
４０  押えプレート
４１  ボルト
４２  バネ
４３  締め付け握り
４４  粗め加工
４５  切り込み
４６  底板付き外枠部
４７  Ｅは約３０〜４０ｍｍ程度
４８  縦枠部Ｌ型
４９  短辺部
５０  長辺部
５１  Ｔ型縦枠部
５２  スリット
５３  引き出し部前板
５４  水槽前幕板（固定）
５５  皿ビス
５６  ビス
５７  Ｃ型部材
【要約】
【課題】  既設水回り設備を取り替える必要がなく、既設水回り設備を利用したまま、しかも、簡単な構造で容易に取り付けることができる、人体支持装置を提供することを目的とする。
【解決手段】  人体を支持する支持部と、支持部を設けた横枠部と、横枠部の凸部に縦枠部の凹部を嵌め込むことにより一体となった縦枠部を有する人体支持装置であって、横枠部は既設水回り設備の天板下面と扉部上面との間隙に挿入し、Ｌ型の横枠部の水平面下面に約７５ｍｍ間隔に凸部を設けることで既設水回り設備の扉、引き出しの幅に対応可能であり、上部に連続した複数の凹部を設け下部には高さ調整部を設けた縦枠部を既設水回り設備の扉、引き出しと隣り合う他の扉、引き出し部との間隙に挿入し既設水回り設備内部の縦板の前面と扉、引き出し部の裏面との間隙に収まる短辺部と、扉厚みと同等の長辺部を有するＬ型の縦枠部を取り付けることを特徴とする人体支持装置。
【選択図】  図１４【図１】
0004182268.tif 000002
【図２】
0004182268.tif 000003
【図３】
0004182268.tif 000004
【図４−１】
0004182268.tif 000005
【図４−２】
0004182268.tif 000006
【図５−１】
0004182268.tif 000007
【図５−２】
0004182268.tif 000008
【図６】
0004182268.tif 000009
【図７−１】
0004182268.tif 000010
【図７−２】
0004182268.tif 000011
【図８】
0004182268.tif 000012
【図９】
0004182268.tif 000013
【図１０−１】
0004182268.tif 000014
【図１０−２】
0004182268.tif 000015
【図１１−１】
0004182268.tif 000016
【図１１−２】
0004182268.tif 000017
【図１２】
0004182268.tif 000018
【図１３−１】
0004182268.tif 000019
【図１３−２】
0004182268.tif 000020
【図１４】
0004182268.tif 000021
【図１５】
0004182268.tif 000022
【図１６−１】
0004182268.tif 000023
【図１６−２】
0004182268.tif 000024